(57)【要約】【課題】本考案は、水道管や給湯管などの配管並びに空調用の熱媒給送管等の配管を保温のために外装被覆する断熱カバーにおいて、重ね合わせ部分の防水性及び防腐性を高めた断熱カバーを提供する。【解決手段】水道管や給湯管並びに空調用の熱媒給送管等の配管１の外周囲を発泡スチロール等の断熱材２で被覆した後、前記断熱材２を巻き付けるようにして断熱カバー３を外側に装着する。その際、前記第１外装材４の長さ方向Ｌと前記第２外装材６の長さ方向Ｌとの両者に円周方向重なり部分Ｓを形成するように間隔Ｌ−２Ｓを空けて、前記断熱材２の外側に第１外装材４を巻き付け、前記第１外装材４の円周方向重なり部分Ｓに重なるように第２外装材６を外側に巻き付けると共に、前記第１外装材４の重なり部分９に第２外装材６の重なり部分９を噛み合わせるようにして前記第１外装材４と第２外装材６を結合し、締結バンドで両者を固定する。【選択図】図１
0003154396.tif 000002
【実用新案登録請求の範囲】
【請求項１】
水道管や給湯管並びに空調用の熱媒給送管等の配管の外周囲を発泡スチロール、ウレタン、パーライト（発泡体）、無機質繊維クロス等の断熱材で被覆し、さらに前記断熱材に重ね合わせ外装被覆される断熱カバーにおいて、前記断熱カバーは２態様の外装材から成り、第１外装材はステンレスなどの薄い耐食性金属板からなり、配管の円周方向Ｗと長さ方向Ｌの長方形であり、前記長さ方向Ｌの一方端部に沿って弾性シーリング材を接着し、第２外装材はステンレスなどの薄い耐食性金属板からなり、配管の円周方向Ｗと長さ方向Ｌの長方形であり、前記長さ方向Ｌの一方端部に沿って弾性シーリング材を接着し、さらに前記円周方向Ｗの両端部に沿って弾性シーリング材を接着したことを特徴とする断熱カバー。
【請求項２】
前記第１外装材の長さ方向Ｌと前記第２外装材の長さ方向Ｌとの両者に円周方向重なり部分Ｓを形成するように間隔Ｌ−２Ｓを空けて、前記断熱材の外側に第１外装材を巻き付け、前記第１外装材の円周方向重なり部分Ｓに重なるように第２外装材を外側に巻き付けると共に、前記第１外装材の重なり部分に第２外装材の重なり部分を噛み合わせるようにして前記第１外装材と第２外装材を結合し、締結バンドで両者を固定することを特徴とする請求項１記載の断熱カバー。
【考案の詳細な説明】
【技術分野】
【０００１】
本考案は、水道管や給湯管などの配管並びに空調用の熱媒給送管等の配管を保温のために外装被覆する断熱カバーに関する。
【背景技術】
【０００２】
従来、外装材の取り付け取り外しを簡単容易にできる配管の断熱構造が一般的に知られている（特許文献１を参照）。
この公知技術では、配管に装着された断熱材の外周に設ける外装材として、表面に金属層を設けた無機質繊維クロスを使用すると共に、外装材の円周方向および軸線方向の重ね合わせ端部に面ファスナーをそれぞれ取り付け、前記面ファスナーの結合により、外装材を断熱材の外周に取り付けるものである。
また、環境破壊物質を使用せず、かつ充分な物理的・熱的特性を有する炭酸ガス発泡の硬質ポリウレタンフォームでなる成形断熱材を備えた低温流体輸送配管の断熱構造が知られている（特許文献２を参照）。
この公知技術は、配管の外周を割り筒形断熱材で被覆し、その外周を防湿材及び／又は外装材で被覆し、かつ外装材の合わせ目部分の隙間を粘着テープで密封して構成するものである。
【０００３】
本出願人は、水道管や給湯管などの配管並びに空調用の熱媒給送管等の配管を保温するために外装被覆する配管断熱カバーを考案した（特許文献３を参照）。
この公知技術は、水道管や給湯管並びに空調用の熱媒給送管等の配管の外周囲を発泡スチロールや無機質繊維クロス等の断熱材で被覆した後、前記断熱材を巻き付けるようにして外装材を外側に装着し、その際に外装材の重ね合わせ部分である巻き付け一方端と巻きつけ他方端を係合させると、前記巻き付け一方端の折返し部分内側に縦方向に沿って接着されている弾性シール材を押し潰しながら切欠き凹部が先端部分に引っ掛かりハゼカケ結合され外れないようになるものである。
【先行技術文献】
【特許文献】
【０００４】
【特許文献１】実用新案登録第３０５１５８１号公報
【特許文献２】特開２００２−３９４９５号公報
【特許文献３】実用新案登録第３１４５６７２号公報
【考案の概要】
【考案が解決しようとする課題】
【０００５】
本考案は、水道管や給湯管などの配管並びに空調用の熱媒給送管等の配管を保温のために外装被覆する、重ね合わせ部分の防水性及び防腐性を高めた断熱カバーを提供することを目的とする。
【課題を解決するための手段】
【０００６】
本考案の断熱カバーは、水道管や給湯管並びに空調用の熱媒給送管等の配管の外周囲を発泡スチロール、ウレタン、パーライト（発泡体）、無機質繊維クロス等の断熱材で被覆し、さらに前記断熱材に重ね合わせ外装被覆される断熱カバーにおいて、前記断熱カバーは２態様の外装材から成り、第１外装材はステンレスなどの薄い耐食性金属板からなり、配管の円周方向Ｗと長さ方向Ｌの長方形であり、前記長さ方向Ｌの一方端部に沿って弾性シーリング材を接着し、第２外装材はステンレスなどの薄い耐食性金属板からなり、配管の円周方向Ｗと長さ方向Ｌの長方形であり、前記長さ方向Ｌの一方端部に沿って弾性シーリング材を接着し、さらに前記円周方向Ｗの両端部に沿って弾性シーリング材を接着したものである。
前記第１外装材の長さ方向Ｌと前記第２外装材の長さ方向Ｌとの両者に円周方向重なり部分Ｓを形成するように間隔Ｌ−２Ｓを空けて、前記断熱材の外側に第１外装材を巻き付け、前記第１外装材の円周方向重なり部分Ｓに重なるように第２外装材を外側に巻き付けると共に、前記第１外装材の重なり部分に第２外装材の重なり部分を噛み合わせるようにして前記第１外装材と第２外装材を結合し、締結バンドで両者を固定するものである。
【考案の効果】
【０００７】
本考案の断熱カバーは、第１外装材の長さ方向Ｌと第２外装材の長さ方向Ｌとの両者に円周方向重なり部分Ｓを形成するように間隔Ｌ−２Ｓを空けて、前記断熱材の外側に第１外装材を巻き付け、前記第１外装材の円周方向重なり部分Ｓに重なるように第２外装材を外側に巻き付けると共に、前記第１外装材の重なり部分に第２外装材の重なり部分を噛み合わせるようにして前記第１外装材と第２外装材を結合し、締結バンドで両者を固定するので、防水性が優れているため、保温効果を維持することができ、且つ腐食を防止することができる効果がある。
【図面の簡単な説明】
【０００８】
【図１】本考案の断熱カバーの斜視図である。
【図２】第１外装材の斜視図である。
【図３】第２外装材の斜視図である。
【図４】図２Ｂ−Ｂ矢視拡大断面図である。
【図５】本考案の断熱カバーの使用状態を示す斜視図である。
【図６】図１矢視Ａ部分の拡大斜視図である。
【考案を実施するための形態】
【０００９】
本考案の断熱カバーの一実施例を添付図面に基づいて、以下に説明する。
図１の斜視図に示すように、水道管や給湯管並びに空調用の熱媒給送管等の配管１の外周囲を発泡スチロール、ウレタン、パーライト（発泡体）、無機質繊維クロス等の断熱材２で被覆し、さらに前記断熱材２の外装材として、本考案の断熱カバー３が重ね合わせ外装被覆される。
【００１０】
本考案の断熱カバー３は、２態様の外装材４，５から成り、図２の一部省略斜視図に示す第１外装材４は、ステンレスなどの薄い耐食性金属板からなり、配管１の円周方向Ｗと長さ方向Ｌの長方形であり（なお、図２では長さ方向を一点鎖線で一部省略して示す。）、前記長さ方向Ｌの一方端部に沿って弾性シーリング材５を接着する。
【００１１】
図３の一部省略斜視図に示す第２外装材６は、ステンレスなどの薄い耐食性金属板からなり、配管１の円周方向Ｗと長さ方向Ｌの長方形であり（なお、図３では長さ方向を一点鎖線で一部省略して示す。）、前記長さ方向Ｌの一方端部に沿って弾性シーリング材５を接着し、さらに前記円周方向Ｗの両端部に沿って弾性シーリング材７を接着する。
【００１２】
図４の図２Ｂ−Ｂ部分拡大断面図に示すように、前記第１外装材４の長さ方向Ｌの一方端部には、両面接着材８によって弾性シーリング材５を接着する。なお、図３における第２外装材６においても同様に、前記円周方向Ｗの両端部に沿って両面接着材８によって弾性シーリング材７を接着し、前記長さ方向Ｌの一方端部に沿って両面接着材８によって弾性シーリング材５を接着する。
【００１３】
次に、本考案の断熱カバーの組立て動作を添付図面に基づいて、以下に説明する。
図１に示すように、水道管や給湯管並びに空調用の熱媒給送管等の配管１の外周囲を発泡スチロール、ウレタン、パーライト（発泡体）、無機質繊維クロス等の断熱材２で被覆した後、前記断熱材２の外側に断熱カバー３を巻き付けるようにして装着固定する。
【００１４】
図５に基づいて説明すると、第１外装材４の長さ方向Ｌと第２外装材６の長さ方向Ｌとの両者に円周方向重なり部分Ｓを形成するように間隔Ｌ−２Ｓを空けて、前記断熱材２の外側に第１外装材４を巻き付ける。
【００１５】
その際に、図１に示すような長さ方向重ね合わせ部分９を形成して締結バンド１０で固定する。前記締結バンド１０は、プラスチック製又は金属製ホースバンドであり、本考案では市販のステンレスホースバンドを使用している。
【００１６】
次に、前記第１外装材４の円周方向重なり部分Ｓに重なるように第２外装材６を外側に巻き付ける。その際に、図１の矢視Ａ部分の拡大斜視図である図６に示すように、前記第１外装材４の重なり部分９に第２外装材６の重なり部分９を噛み合わせるようにして前記第１外装材４と第２外装材６を結合し、図５に示すように締結バンド１０で両者を固定する。
【００１７】
以下同様に、両者に円周方向重なり部分Ｓを形成するように間隔Ｌ−２Ｓを空けて、前記断熱材２の外側に第１外装材４を巻き付け、前記第１外装材４の円周方向重なり部分Ｓに重なるように第２外装材６を外側に巻き付け、締結バンド１０で固定する。
なお、本考案の断熱カバーは、例えばタンク屋根部の保温材の外装材として、ビス止めにより平板施工にも利用される。
【符号の説明】
【００１８】
１  配管
２  断熱材
３  断熱カバー
４  第１外装材
５  弾性シーリング材
６  第２外装材
７  弾性シーリング材
８  両面接着材
９  重なり部分
１０  締結バンド
【図１】
0003154396.tif 000003
【図２】
0003154396.tif 000004
【図３】
0003154396.tif 000005
【図４】
0003154396.tif 000006
【図５】
0003154396.tif 000007
【図６】
0003154396.tif 000008